(57)【要約】【課題】内視鏡内の管路の口金と洗浄消毒用接続チューブのコネクタ部との接触部分における消毒を確実に行うことができる内視鏡洗浄消毒装置を提供する。【解決手段】内視鏡洗浄消毒装置１は、内視鏡１００内の管路に連通する内視鏡の口金１１０に接続可能なコネクタ部１１５ａと、内視鏡１００内の管路内に、口金１１０を介してコネクタ部１１５ａから消毒用の流体を供給する流体供給部と、コネクタ部１１５ａと口金１１０との接触部分を加熱するヒータ１２５を有する。【選択図】図５
2013027626.tif 000002
【特許請求の範囲】
【請求項１】
内視鏡内の管路に連通する前記内視鏡の口金に接続可能な第１のコネクタ部と、
前記内視鏡内の前記管路内に、前記内視鏡の前記口金を介して前記第１のコネクタ部から消毒用の流体を供給する流体供給部と、
前記第１のコネクタ部と前記口金との接触部分を加熱する加熱部と、
を有することを特徴とする内視鏡洗浄消毒装置。
【請求項２】
前記加熱部は、前記第１のコネクタ部に設けられていることを特徴とする請求項１に記載の内視鏡洗浄消毒装置。
【請求項３】
前記第１のコネクタ部は、前記流体供給部からの前記流体の供給口に着脱可能に接続される第２のコネクタ部を有する接続チューブに設けられていることを特徴とする請求項１又は２に記載の内視鏡洗浄消毒装置。
【請求項４】
前記加熱部は、電熱線あるいは超音波振動子より構成されることを特徴とする請求項１から３のいずれか１つに記載の内視鏡洗浄消毒装置。
【請求項５】
前記加熱部は、前記流体あるいは前記流体とは別の流体と接することにより、発熱する発熱部材を含むことを特徴とする請求項１から３のいずれか１つに記載の内視鏡洗浄消毒装置。
【請求項６】
前記加熱部は、マイクロ波を受けると発熱する材料を含むことを特徴とする請求項１から３のいずれか１つに記載の内視鏡洗浄消毒装置。
【請求項７】
前記第１のコネクタ部は、前記第１のコネクタ部を冷却するための管路を有することを特徴とする請求項１から６のいずれか１つに記載の内視鏡洗浄消毒装置。
【請求項８】
前記加熱部は、前記口金に設けられていることを特徴とする請求項１に記載の内視鏡洗浄消毒装置。
【請求項９】
前記加熱部は、電熱線あるいは超音波振動子より構成されることを特徴とする請求項８に記載の内視鏡洗浄消毒装置。
【請求項１０】
非接触で、前記電熱線あるいは前記超音波振動子を駆動するための電力を供給する電力供給部を有することを特徴とする請求項９に記載の内視鏡洗浄消毒装置。
【請求項１１】
前記加熱部は、前記流体あるいは前記流体とは別の流体と接することにより、発熱する発熱部材を含むことを特徴とする請求項８に記載の内視鏡洗浄消毒装置。
【請求項１２】
前記加熱部は、マイクロ波を受けると発熱する材料を含むことを特徴とする請求項８に記載の内視鏡洗浄消毒装置。
【請求項１３】
内視鏡内の管路に連通する前記内視鏡の口金に接続可能な第１のコネクタ部と、
前記第１のコネクタ部に設けられ、前記第１のコネクタ部と前記口金の接触部分を加熱する加熱部と、
内視鏡洗浄消毒装置の流体の供給口に着脱可能に接続される第２のコネクタ部と、
前記第１のコネクタ部と前記第２のコネクタ部とを連結し、前記第２のコネクタ部に供給された前記流体を前記第１のコネクタ部を介して前記口金に流入させるためのチューブ部と、
を有することを特徴とする内視鏡洗浄消毒装置用接続チューブ。
【請求項１４】
前記加熱部は、電熱線あるいは超音波振動子より構成されることを特徴とする請求項１３に記載の内視鏡洗浄消毒装置用接続チューブ。
【請求項１５】
前記加熱部は、前記流体あるいは前記流体とは別の流体と接することにより、発熱する発熱部材を含むことを特徴とする請求項１３に記載の内視鏡洗浄消毒装置用接続チューブ。
【請求項１６】
前記加熱部は、マイクロ波を受けると発熱する材料を含むことを特徴とする請求項１３に記載の内視鏡洗浄消毒装置用接続チューブ。
【請求項１７】
内視鏡であって、
前記内視鏡内の管路に連通する前記内視鏡の口金と、
前記口金に設けられ、内視鏡洗浄消毒装置から消毒用の流体を供給するコネクタ部との接触部分を加熱するための加熱部と、
を有することを特徴とする内視鏡。
【請求項１８】
前記加熱部は、電熱線あるいは超音波振動子より構成されることを特徴とする請求項１７に記載の内視鏡。
【請求項１９】
前記加熱部は、前記流体あるいは前記流体とは別の流体と接することにより、発熱する発熱部材を含むことを特徴とする請求項１７に記載の内視鏡。
【請求項２０】
前記加熱部は、マイクロ波を受けると発熱する材料を含むことを特徴とする請求項１７に記載の内視鏡。
【発明の詳細な説明】
【技術分野】
【０００１】
本発明は、内視鏡洗浄消毒装置、内視鏡洗浄消毒装置用接続チューブ及び内視鏡に関する。
【背景技術】
【０００２】
近年、内視鏡は、医療分野及び工業用分野において広く利用されている。医療分野において用いられる内視鏡は、細長い挿入部を体内に挿入することによって、体内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡を洗浄消毒装置の洗浄消毒槽内にセットするだけで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、吸引管路、処置具挿通管路等の複数の管路内に対しても洗浄液及び消毒液が供給されることにより、内視鏡内の各管路内も、洗浄され、消毒液により化学的に消毒される。
【０００５】
このとき、例えば作業者によって、洗浄消毒槽にセットされた内視鏡内の各管路に連通する口金に、洗浄消毒装置に設けられた液体供給ポートに一端が接続された洗浄消毒用接続チューブのコネクタを装着し、洗浄消毒装置から、洗浄消毒用接続チューブを介して内視鏡管路内に洗浄液、消毒液、濯ぎ水等の各種液体が供給することによって、内視鏡管路内の洗浄消毒は、行われる。
【０００６】
内視鏡内の管路内に体内の組織などが異物として残り、管路に詰まっていると、管路内に洗浄液などが十分に行き渡らず、内視鏡の洗浄消毒が適切に行われない。そこで、洗浄消毒装置内の管路に流量センサを設け、内視鏡内の管路に詰まりがあるときの流量と、詰まりがないときの流量とを比較して、内視鏡内の管路の詰まりを検出することが行われる。
【０００７】
また、洗浄消毒装置は、洗浄液などの液体を内視鏡と洗浄消毒装置との間で循環させるための循環管路を内蔵しているが、循環管路内には、内視鏡内の各管路の洗浄に伴って汚染物が付着してしまうことがある。そのため、特開平１０−２９５６４３号公報には、洗浄消毒装置内の循環管路を滅菌する技術も提案されている。
【先行技術文献】
【特許文献】
【０００８】
【特許文献１】特開平１０−２９５６４３号公報
【発明の概要】
【発明が解決しようとする課題】
【０００９】
しかし、内視鏡内の各管路の口金と洗浄消毒用接続チューブのコネクタ部との間には、各管路の口金と洗浄消毒用接続チューブのコネクタ部との接触部分が存在するため、その接触部分には消毒液が触れずに消毒不良となる虞がある。上記提案にかかる洗浄消毒装置では、そのような接触部分の消毒不良の問題は、考慮されていない。
【００１０】
なお、内視鏡内の各管路の口金と洗浄消毒用接続チューブのコネクタ部との接触部分を線接触あるいは点接触にして、その接触部分から積極的に消毒液などが漏れるようにして、そのような接触部分の化学的な消毒を行う方法もあるが、そのような液体の漏れを利用した方法を採用すると、内視鏡内の管路の詰まりを検出するための送液量の検出精度の低下、及び各管路内の洗浄力の低下を招く虞がある。
【００１１】
そこで、本発明は、内視鏡内の管路の口金と洗浄消毒用接続チューブのコネクタ部との接触部分における消毒を確実に行うことができる内視鏡洗浄消毒装置、内視鏡洗浄消毒装置用接続チューブ及び内視鏡を提供することを目的とする。
【課題を解決するための手段】
【００１２】
本発明の一態様によれば、内視鏡内の管路に連通する前記内視鏡の口金に接続可能な第１のコネクタ部と、前記内視鏡内の前記管路内に、前記内視鏡の前記口金を介して前記第１のコネクタ部から消毒用の流体を供給する流体供給部と、前記第１のコネクタ部と前記口金との接触部分を加熱する加熱部と、を有する内視鏡洗浄消毒装置を提供することができる。
【００１３】
本発明の一態様によれば、内視鏡内の管路に連通する前記内視鏡の口金に接続可能な第１のコネクタ部と、前記第１のコネクタ部に設けられ、前記第１のコネクタ部と前記口金の接触部分を加熱する加熱部と、内視鏡洗浄消毒装置の流体の供給口に着脱可能に接続される第２のコネクタ部と、前記第１のコネクタ部と前記第２のコネクタ部とを連結し、前記第２のコネクタ部に供給された前記流体を前記第１のコネクタ部を介して前記口金に流入させるためのチューブ部と、を有する内視鏡洗浄消毒装置用接続チューブを提供することができる。
【００１４】
本発明の一態様によれば、内視鏡であって、前記内視鏡内の管路に連通する前記内視鏡の口金と、前記口金に設けられ、内視鏡洗浄消毒装置から消毒用の流体を供給するコネクタ部との接触部分を加熱するための加熱部と、を有する内視鏡を提供することができる。
【発明の効果】
【００１５】
本発明によれば、内視鏡内の管路の口金と内視鏡洗浄消毒装置用接続チューブのコネクタ部との接触部分における消毒もしくは滅菌を確実に行うことができる内視鏡洗浄消毒装置、内視鏡洗浄消毒装置用接続チューブ及び内視鏡を実現することができる。
【図面の簡単な説明】
【００１６】
【図１】本発明の第１の実施の形態に係わる洗浄消毒装置の斜視図である。
【図２】本発明の第１の実施の形態に係わる、洗浄消毒槽４に内視鏡１００が収容された状態で、図１の洗浄消毒装置の内部構成を示す図である。
【図３】本発明の第１の実施の形態に係わる、洗浄消毒装置１内の各チャンネル電磁弁２８の開閉制御のための管路構成を説明するための図である。
【図４】本発明の第１の実施の形態に係わる、洗浄消毒装置１内の各チャンネル電磁弁２８の開閉制御のための管路構成の変形例を説明するための図である。
【図５】本発明の第１の実施の形態に係わる内視鏡洗浄消毒装置用接続チューブ１１５の構成を説明するための断面図である。
【図６】本発明の第１の実施の形態に係わる、制御部７０におけるヒータ１２５の温度制御の例を説明するための図である。
【図７】本発明の第１の実施の形態に係わる、弾性部材１２４Ａの変形例の断面図である。
【図８】本発明の第１の実施の形態の変形例に係る、内視鏡洗浄消毒装置用接続チューブが洗浄消毒装置から非接触で電源の供給を受ける構成を説明するための図である。
【図９】本発明の第１の実施の形態の変形例に係る、化学反応により発熱するヒータ１２５Ｂを、コネクタ部１１５ａの弾性部材１２４を覆うように配置した構成を示す図である。
【図１０】本発明の第２の実施の形態に係わる内視鏡と洗浄消毒装置との接続を説明するための図である。
【図１１】本発明の第２の実施の形態の変形例に係る、化学反応により発熱するヒータ１３１Aを、口金１１０Ａｂの、弾性部材１２４との接触面に配置した構成を示す図である。
【図１２】本発明の第１の実施の形態の変形例に係る、冷却機構を有する内視鏡洗浄消毒装置用接続チューブのコネクタ部の構造を説明するための図である。
【図１３】図１２のＸＩＩＩ−ＸＩＩＩ線に沿った、コネクタ部１１５ａの断面図である。
【図１４】本発明の第１の実施の形態の変形例に係る、温度表示部を有する内視鏡洗浄消毒装置用接続チューブ１１５の例を示す部分斜視図である。
【図１５】本発明の第１の実施の形態の変形例に係る、温度表示部を有する内視鏡洗浄消毒装置用接続チューブ１１５の他の例を示す部分斜視図である。
【図１６】図１５の温度表示部１６２の変形例を示す図である。
【図１７】本発明の第１の実施の形態の変形例に係る、温度表示部として、LED表示部を有する内視鏡洗浄消毒装置用接続チューブ１１５のさらに他の例を示す部分斜視図である。
【発明を実施するための形態】
【００１７】
以下、図面を参照して本発明の実施の形態を説明する。  
なお、以下の説明に用いる各図においては、各構成要素を図面上で認識可能な程度の大きさとするため、各構成要素毎に縮尺を異ならせてあるものもあるので、本発明は、これらの図に記載された構成要素の数量、構成要素の形状、構成要素の大きさの比率、及び各構成要素の相対的な位置関係のみに限定されるものではない。
（第１の実施の形態）
（洗浄消毒装置の構成）
図１は、本発明の第１の実施の形態に係わる洗浄消毒装置の斜視図である。図１は、洗浄消毒装置のトップカバーが開かれて、洗浄消毒槽１に内視鏡１００が収納可能な状態を示している。
【００１８】
図１に示すように、洗浄消毒装置１は、使用済みの内視鏡１００を洗浄、消毒するための装置であり、装置本体２と、その上部に、例えば図示しない蝶番を介して開閉自在に接続されたトップカバー３とにより、主要部が構成されている。
【００１９】
トップカバー３が、装置本体２に閉じられている状態では、トップカバー３は、装置本体２及びトップカバー３の互いに対向する位置に配設された、例えばラッチ８により、装置本体２に固定される構成となっている。
【００２０】
装置本体２の操作者が近接する図中前面（以下、前面と称す）であって、例えば左半部の上部に、洗剤／アルコールトレー１１が、装置本体２の前方へ引き出し可能に配設されている。
【００２１】
洗剤／アルコールトレー１１には、内視鏡１００を洗浄する際に用いられる洗浄剤が貯留された洗剤タンク１１ａと、洗浄消毒後の内視鏡１００を乾燥する際に用いられるアルコールが貯留されたアルコールタンク１１ｂとが収納されている。洗剤／アルコールトレー１１が引き出し可能となっているので、各タンク１１ａ、１１ｂに、所定に液体が補充できるようになっている。
【００２２】
尚、洗剤／アルコールトレー１１には、２つの窓部１１ｍが設けられており、該窓部１１ｍにより、各タンク１１ａ、１１ｂに貯留されている洗浄剤及びアルコールの残量が操作者によって目視で確認できるようになっている。この洗浄剤は、後述する給水フィルタ１７（図２参照）により濾過処理がされた水道水により所定の濃度に希釈される濃縮洗剤である。本実施の形態では、以下の説明において、前記洗浄剤と前記水道水との混合液を洗浄液という。
【００２３】
また、装置本体２の前面であって、例えば右半部の上部に、カセットトレー１２が、装置本体２の前方へ引き出し自在に配設されている。カセットトレー１２には、内視鏡１００を消毒する際に用いる、例えば過酢酸等の消毒液が注入された薬液ボトル１２ａが収納されており、カセットトレー１２が、引き出し可能となっていることにより、薬液ボトル１２ａを所定の位置にセットできるようになっている。
【００２４】
さらに、装置本体２の前面であって、カセットトレー１２の上部に、洗浄消毒時間の表示や、消毒液を加温するための指示釦等が配設されたサブ操作パネル１３が配設されている。また、装置本体２の図中前面の下部に、操作者の足による踏み込み操作により、図１に示すように、閉じられているトップカバー３を、装置本体２の上方に開くためのペダルスイッチ１４が配設されている。
【００２５】
また、装置本体２の上面の、例えば操作者が近接する前面側の両端寄りに、装置本体２の洗浄、消毒動作スタートスイッチ、及び洗浄、消毒モード選択スイッチ等の設定スイッチ類、及び液晶表示器等の表示器が配設されたメイン操作パネル２５が設けられている。
【００２６】
また、装置本体２の上面であって、操作者が近接する前面に対向する背面側に、装置本体２に水道水を供給するための、後述する水道蛇口５（図２参照）に接続された後述する給水ホース３１ａ（図２参照）が接続される給水ホース接続口３１が配設されている。尚、給水ホース接続口３１に、水道水を濾過するメッシュフィルタが配設されていてもよい。
【００２７】
さらに、装置本体２の上面の略中央部に、内視鏡１００が収納可能な洗浄消毒槽４が設けられている。洗浄消毒槽４は、槽本体５０と該槽本体５０の内視鏡収納口の外周縁に連続して周設されたテラス部５１とにより構成されている。
【００２８】
槽本体５０には、使用後の内視鏡１００が洗浄消毒される際、該内視鏡１００が収納され、槽本体５０の底面５０ｔには、槽本体５０に供給された洗浄液、水、アルコール、消毒液等の液体を槽本体５０から排水するための排水口５５が設けられている。
【００２９】
また、槽本体５０の内周壁の側面５０ｓには、槽本体５０に供給された水、洗浄液、消毒液等を、後述する手段を介して内視鏡１００の内部に具備された各管路に供給するための、または槽本体５０に供給された洗浄液、水、消毒液等を、メッシュフィルタ等を介し、後述する給水循環ノズル２４から槽本体５０に再度供給するための、循環口５６が設けられている。尚、循環口５６には、洗浄液等を濾過するメッシュフィルタが設けられていても良い。
【００３０】
洗浄消毒槽４の槽本体５０には、さらに、後述する超音波振動子５２と、ヒータ５３（いずれも図２参照）とが配設されており、槽本体５０の底面５０ｔの略中央部に、洗浄ケース６が配設されている。この超音波振動子５２は、洗浄消毒槽４に貯留される洗浄水、或いは水道水に振動を与えて、内視鏡１００の外表面を超音波洗浄、或いは濯ぐものである。また、ヒータ５３は、洗浄消毒槽４内に貯留される消毒液、水道水等を所定の温度に加温するためのものである。
【００３１】
洗浄ケース６には、内視鏡１００の各スコープスイッチ等のボタン類、内視鏡１００に併設されている取り外し可能な部品、等が収容され、各ボタン類及び取り外した部品は、内視鏡１００と一緒に洗浄、消毒される。
【００３２】
槽本体５０の側面５０ｓに、槽本体５０に供給された洗浄液、水、消毒液等の水位を検出するカバー付き水位センサ３２が設けられている。  
テラス部５１のテラス面５１ｔ以外の面、即ち槽本体５０の底面５０ｔと平行な面に、洗剤タンク１１ａから、後述する洗剤用ポンプ４０（図２参照）により洗浄剤を洗浄消毒槽４へ供給するための洗剤ノズル２２、及び、後述する薬液タンク５８（図２参照）から、後述する薬液ポンプ６５（図２参照）により、消毒液を洗浄消毒槽４へ供給するための消毒液ノズル２３が配設されている。
【００３３】
さらに、テラス部５１の槽本体５０の底面５０ｔと平行な面に、洗浄消毒槽４へ給水するための、または槽本体５０の循環口５６から吸引した洗浄液、水、消毒液等を、再度洗浄消毒槽４へ供給するための給水循環ノズル２４が配設されている。
【００３４】
また、テラス部５１のテラス面５１ｔの操作者近接位置４ｋに対向する側の面５１ｆに、内視鏡１００の内部に具備された複数の管路に、後述する水、洗浄液、アルコール、消毒液、またはエア等を供給するための複数、ここでは２つのポート（吸引管路用と副送水管路用）３３と、２つのポート（送気送水管路用と鉗子孔用）３４と、漏水検知用ポート３５とが配設されている。
【００３５】
次に、図２に基づいて、洗浄消毒装置１の内部構成について説明する。図２は、洗浄消毒槽４に内視鏡１００が収容された状態で、図１の洗浄消毒装置の内部構成を示す図である。
【００３６】
図２に示すように、洗浄消毒装置１は、給水ホース接続口３１が給水ホース３１ａの一端と接続され、この給水ホース３１ａの他端が外部の水道蛇口５に接続されることにより、水道水が供給される構成を有している。
【００３７】
給水ホース接続口３１は、給水管路９の一端と連通している。この給水管路９は、他端が三方電磁弁１０に接続されており、給水ホース接続口３１から三方電磁弁１０までの管路の中途には、給水ホース接続口３１側から順に、給水電磁弁１５と、逆止弁１６と、給水フィルタ１７とが介装されている。
【００３８】
尚、給水フィルタ１７は、定期的に交換できるように、カートリッジタイプの濾過フィルタとして構成されており、図示しないフィルタケースに装脱自在となっている。給水フィルタ１７は、通過する水道水の異物、雑菌等を除去する。
【００３９】
三方電磁弁１０は、流液管路１８の一端と接続されており、給水循環ノズル２４に対する給水管路９と流液管路１８との連通状態を内部の弁部材によって切り替える。つまり、給水循環ノズル２４は、三方電磁弁１０の切り替え動作により、給水管路９と流液管路１８とのいずれか一方と連通する。また、流液管路１８の他端側には、液体のみを移送することができる、液体の移送能力に優れた非自吸式のポンプである流液ポンプ１９が接続されている。
【００４０】
洗浄消毒槽４に配設された循環口５６は、液体供給管路である循環管路２０の一端が接続されている。循環管路２０の他端は、流液管路１８の他端及び液体供給管路であるチャンネル管路２１の一端と連通するように、２つに分岐している。チャンネル管路２１の他端は、上述した吸引管路／副送水管路用ポート３３と、２つの送気送水管路／鉗子孔用ポート３４とに連通している（尚、図２においては、吸引管路／副送水管路用ポート３３の１つのみ図示している）。また、図示しないが、チャンネル管路２１の他端は、上述した送気送水／鉗子口用ポート３４にも連通している。
【００４１】
また、各ポート３３，３４には、内視鏡洗浄消毒装置用接続チューブ（以下、洗浄用接続チューブという）１１５の一端が接続されており、洗浄用接続チューブ１１５の他端は、図２に示すように、操作部１０１と挿入部１０４とユニバーサルコード１０２とコネクタ１０３とを具備する内視鏡１００の対応する口金１１０Aから１１０Dに接続されている。よって、ポート３３，３４のそれぞれは、洗浄用接続チューブ１１５を接続するための洗浄消毒装置１側のコネクタ部である。
【００４２】
口金１１０Aは、吸引管路用であり、口金１１０Bは、送気送水管路用であり、口金１１０Cは、鉗子孔用であり、口金１１０Dは、副送水管路用であり、各口金は、内視鏡１００内の各管路に連通している。なお、口金１１０A〜１１０Dは、金属、テフロン（登録商標）などの耐熱部材からなる。
【００４３】
尚、各口金１１０（１１０Ａ〜１１０Ｄ）に接続される洗浄用接続チューブ１１５の構成については後述する。  
チャンネル管路２１は、管路の中途において、前記一端側から順に、チャンネルポンプ２６、チャンネルブロック２７、流量センサ１５０、チャンネル電磁弁２８がそれぞれ介装されている。チャンネルブロック２７とチャンネル電磁弁２８の間におけるチャンネル管路２１には、洗浄ケース６と一端が接続しているケース用管路３０の他端が接続されている。このケース用管路３０には、リリーフ弁３６が介装されている。
【００４４】
尚、チャンネルポンプ２６は、気体または液体のいずれかを、非自吸式ポンプよりも高圧で移送することができる自吸式のポンプから構成されている。尚、チャンネルポンプ２６を自吸式のポンプで構成したのは、内視鏡１００内の各管路に対し、確実に、洗浄、消毒、濯ぎ等を行うため、チャンネル管路２１を介しポート３３から各管路内に、洗浄液、消毒液、水道水、エア等を高圧で送り込む必要があるためである。よって、チャンネルポンプ２６，ポート３３，３４、洗浄用接続チューブ１１５が、内視鏡１００内の各管路内に、内視鏡１００の口金１１０を介してコネクタ部１１５ａ（後述）から消毒用の流体を供給する流体供給部を構成する。
【００４５】
流量センサ（ＦＳ）１５０は、チャンネル管路２１を流れる液体の供給量を検出するとともに、該液体の供給量から内視鏡１００内の管路の詰まりを検出するための検出器である。
【００４６】
洗剤ノズル２２は、洗浄剤管路３９の一端と接続されており、洗浄剤管路３９の他端は、洗剤タンク１１ａに接続されている。この洗浄剤管路３９には、その中途に、洗浄剤を洗剤タンク１１ａから洗浄消毒槽４まで持ち上げるため高圧の自吸式のポンプから構成された洗剤用ポンプ４０が介装されている。
【００４７】
アルコールタンク（Aタンク）１１ｂは、アルコール管路４１の一端と接続されており、このアルコール管路４１はチャンネル管路２１と所定に連通するように、他端がチャンネルブロック２７に接続されている。
【００４８】
このアルコール管路４１には、アルコールをアルコールタンク１１ｂから洗浄消毒槽４まで引き上げるため高圧の自吸式のポンプから構成されたアルコール供給ポンプ４２と、電磁弁４３とが介装されている。
【００４９】
また、チャンネルブロック２７には、気体を移送することができる自吸式ポンプから構成された、各管路に対し、エアポンプ４５からのエアを供給するためのエア管路４４の一端が所定にチャンネル管路２１と連通するように接続されている。このエア管路４４は、他端がエアポンプ４５に接続されており、エア管路４４の中途位置には、逆止弁４７と、定期的に交換されるエアフィルタ４６とが介装されている。
【００５０】
洗浄消毒槽４の排水口５５には、弁の切り替え動作により、外部へ洗浄液等を排出したり、薬液タンク５８に消毒液を回収したりするための開閉自在な切替弁５７が配設されている。
【００５１】
切替弁５７に、外部排水口へ接続される不図示の排水ホースと一端が接続されて連通する排水管路５９の他端が接続されており、この排水管路５９には、非自吸式のポンプから構成された排水ポンプ６０が介装されている。また、切替弁５７に、薬液回収管路６１の一端が接続され、この薬液回収管路６１の他端は薬液タンク５８に接続されている。
【００５２】
薬液タンク５８は、薬液ボトル１２ａからの消毒液が供給されるように、薬液供給管路６２の一端が接続されている。この薬液供給管路６２の他端は、カセットトレー１２に接続されている。
【００５３】
また、薬液タンク５８内には、一端に吸引フィルタ６３が設けられた薬液管路６４の一端部分が所定に収容されている。この薬液管路６４は、他端が消毒液ノズル２３に接続されており、中途位置に、消毒液を薬液タンク５８から洗浄消毒槽４まで引き上げるため高圧の自吸式のポンプから構成された薬液ポンプ６５が介装されている。  
尚、洗浄消毒槽４の底面５０ｔの下部には、上述したように、例えば２つの超音波振動子５２と、ヒータ５３とが配設されている。また、ヒータ５３の温度調節のため、洗浄消毒槽４の底面５０ｔの略中央には、温度検知センサ５３ａが設けられている。
【００５４】
このヒータ５３は、洗浄消毒槽４内に貯留され、装置内を循環する消毒液を所定の温度に加温するためのものである。尚、消毒液には、その消毒効果が最も期待できる適正温度がある。この適正温度である前記所定の温度までヒータ５３によって加温された消毒液は、内視鏡１００、及び装置本体２内の各管路を有効的に消毒することができる。
【００５５】
また、温度検知センサ５３ａは、洗浄消毒槽４内に貯留され、装置内を循環する消毒液の液温を検知し、その検知結果を制御部７０へと伝達する。そして、制御部７０は、温度検知センサ５３ａからの検知結果に基づいて、消毒液を所定の温度に保つように、ヒータ５３を駆動、停止する制御を行う。また、制御部７０は、後述するように、内視鏡１００内の各管路の口金と洗浄用接続チューブ１１５のコネクタ部との接触部分における消毒を、熱により行うように、加熱部の制御も行う。
【００５６】
また、洗浄消毒装置１の内部には、外部のＡＣコンセントから電力が供給される電源７１と、この電源７１と電気的に接続される制御部７０が設けられている。この制御部７０は、メイン操作パネル２５及びサブ操作パネル１３からの各種信号が供給されることにより、上述した各ポンプ、各電磁弁、流量センサ１５０などを駆動制御する。
【００５７】
洗浄用接続チューブ１１５は、後述するようにヒータ等の発熱部を有しており、その発熱部への電力供給のための信号線７２が、制御部７０と各ポート３３、３４間に設けられている。
【００５８】
図３は、洗浄消毒装置１内の各チャンネル電磁弁２８の開閉制御のための管路構成を説明するための図である。洗浄消毒後のすすぎ水は、内視鏡１００内の各管路内に残る。エアポンプ４５からのエアにより、各管路内の除水を行う。
【００５９】
内視鏡１００内の全ての管路に対して同時に除水をすることはしないで、複数の管路を複数の管路の組に分け、複数の組の中から、１又は２以上の管路を含む組を順番に選択して、除水を行うようにして、除水処理の短時間化を図ってもよい。吸引管路と鉗子孔の内径は略等しく、送気送水管路と副送水管路の内径は、吸引管路と鉗子孔の内径よりも小さい。副送水管路の内径は、送気送水管路の内径よりも小さい。
【００６０】
図３の場合、エアポンプ４５に接続されたエア管路４４は、４つに分岐して、内視鏡１００内の４つの管路（吸引管路、副送水管路、送気送水管路、鉗子孔）のためのチャンネル電磁弁２８A、２８B、２８C、２８Dに接続されている。４つのチャンネル電磁弁２８A、２８B、２８C、２８Dは、それぞれ、吸引管路用ポート３３ａ、副送水管路用ポート３３ｂ、送気送水管路用ポート３４ａ及び鉗子孔用ポート３４ｂに接続されている。
【００６１】
除水が２つの管路毎に行われるように、４つのチャンネル電磁弁２８A、２８B、２８C、２８Dは制御される。ここでは、吸引管路と鉗子孔の組に対して同時に除水し、その除水後に、送気送水管路と副送水管理の組に対して同時に除水するように、制御部７０は、４つのチャンネル電磁弁２８A、２８B、２８C、２８Dを制御する。
【００６２】
このように、４つの管路を同時ではなく、複数の組、ここでは２つの組に分けて、エアを供給するようにするので、除水に必要な各管路に供給されるエアの流量を確保して、十分な流量のエアを各管路に供給するようにしたので、除水を短時間で行うことができる。
【００６３】
また、図３のように、複数の組に分けてエアを供給する場合、図４のような構成でもよい。図４は、洗浄消毒装置１内の各チャンネル電磁弁２８の開閉制御のための管路構成の変形例を説明するための図である。すなわち、同時エアを供給する２つの管路毎にチャンネル電磁弁２８ａ、２８ｂを設け、かつ洗浄消毒装置１のポートに接続される洗浄用接続チューブとして、上述した洗浄用接続チューブ１１５と、二股の洗浄用接続チューブ１１５ａとを用いる。
【００６４】
図４によれば、エア管路４４は、２つに分岐し、同時に除水される吸引管路と鉗子孔用のチャンネル電磁弁２８ａと、同時に除水される送気送水管路と副送水管路用のチャンネル電磁弁２８ｂが設けられる。チャンネル電磁弁２８ａはポート３３に接続され、チャンネル電磁弁２８ｂはポート３４ａと３３ｂに接続される。ポート３３には、先端が二股に分岐した洗浄用接続チューブ１１５ａが接続され、分岐した２つのコネクタ部は、吸引管路の口金１１０Aと鉗子孔の口金１１０Cに接続される。
【００６５】
チャンネル電磁弁２８ａを開に、チャンネル電磁弁２８ｂを閉にして、吸引管路と鉗子孔を同時に除水し、その除水後、チャンネル電磁弁２８ｂを開に、チャンネル電磁弁２８ａを閉にして、送気送水管路と副送水管路を同時に除水する。
【００６６】
なお、図１〜４に示される内視鏡洗浄消毒装置は単なる一例であり、本発案の洗浄消毒装置用接続チューブは内視鏡を洗浄消毒する装置であればどのようなものにも接続してもよいし、一体化形成されていてもよい。
（洗浄用接続チューブの構成）
図５は、洗浄用接続チューブ１１５の構成を説明するための断面図である。洗浄用接続チューブ１１５は、先端側のコネクタ部１１５ａ、基端側のコネクタ部１１５ｂ、及び２つのコネクタ部１１５ａと１１５ｂの間に設けられたチューブ部１１５ｃとからなる。図５は、コネクタ部１１５ａが、内視鏡１００の口金に接続され、コネクタ部１１５ｂがポート３３あるいは３４に接続されている状態を示す。
【００６７】
以下では、洗浄用接続チューブ１１５が、吸引管路用の口金１１０Aに接続される場合を例に説明する。他の管路（送気送水管路、副送水管路、鉗子孔）の洗浄用接続チューブも同様であるので、説明は省略する。
【００６８】
洗浄用接続チューブ１１５の先端部のコネクタ部１１５ａは、吸引管路用の口金１１０Aに接続可能となっている。洗浄用接続チューブ１１５の基端部のコネクタ部１１５ｂは、吸引管路用ポート３３ａに接続可能となっている。すなわち、洗浄用接続チューブ１１５は、内視鏡１００内の管路に連通する内視鏡１００の口金１１０Aに接続可能なコネクタ部１１５ａと、洗浄消毒装置１の流体の供給口であるポート３３に着脱可能に接続されるコネクタ部１１５ｂとを有している。
【００６９】
コネクタ部１１５ａは、管路部材１２１と、クリップ部とを含んで構成される。クリップ部は、２つのクリップ部材１２２を含む。ステンレスなどの金属製の管路部材１２１の先端部には、円形の溝１２３が形成されており、円環状の弾性部材１２４が、溝１２３内に、埋め込まれて固定されている。弾性部材１２４は、シリコンゴム、軟性金属（例えば銅）などからなるシール部材である。
【００７０】
管路部材１２１内には、発熱部材としてのヒータ１２５が設けられている。ニクロム線等の電熱線からなるヒータ１２５は、弾性部材１２４を加熱できるように、管路部材１２１内の弾性部材１２４の近傍に配置される。ヒータ１２５は、例えば、管路部材１２１の内周面に沿って周方向に形成された溝内に埋め込み、接着剤で固定するようにして、管路部材１２１内に設けることができる。
【００７１】
ヒータ１２５が管路部材１２１内で円環状に設けられ、ヒータ１２５に電力を供給するための信号線１２６が、ヒータ１２５には接続されている。信号線１２６は、例えば、管路部材１２１の内周面に沿って、管路部材１２１の軸方向に形成された溝内に埋め込むようにして、管路部材１２１内に設けることができる。よって、ヒータ１２５は、コネクタ部１１５ａに設けられ、コネクタ部１１５ａと口金１１０Ａの接触部分を加熱する加熱部を構成する。
【００７２】
管路部材１２１の外周面には、２つのクリップ部材１２２が設けられている。各クリップ部材１２２は、弾性部材であるトーションバネ１２２ａの弾性力を利用して、口金１１０Ａに、コネクタ部１１５ａを固定する。具体的には、クリップ部材１２２は、先端側には、内側に突出した爪部１２２ｂを有する。
【００７３】
管路部材１２１の外周面に設けられた軸部材１２２ｃを軸中心として、爪部１２２ｂが先端側において内側に常に押圧されるように、クリップ部材１２２は、トーションバネ１２２ａによって付勢されている。
【００７４】
また、ユーザが各クリップ部材１２２の基端部分を把持して、トーションバネ１２２ａの押圧力に対抗するように押し下げることによって、先端部の爪部１２２ｂを、管路部材１２１の軸から離すようにすることができる。
【００７５】
ユーザは、先端部の爪部１２２ｂを管路部材１２１の軸から離した状態で、口金１１０Ａに、管路部材１２１の先端部を押しつけ、弾性部材１２４が押し潰された状態で、２つのクリップ部材１２２の基端部分を把持する力を緩めると、先端部の爪部１２２ｂが口金１１０Ａのフランジ部に係止される。その結果、管路部材１２１の先端部と口金１１０Ａは、弾性部材１２４が押圧されて潰された状態となるので、密着する。
【００７６】
チューブ部１１５ｃは、樹脂製の管状部材１１５ｃ１を含み、管状部材１１５ｃ１の先端部が、コネクタ部１１５ａの基端部の段差部に係止されるようにして、管状部材１１５ｃ１が、コネクタ部１１５ａに固定されている。ヒータ１２５用の電力を供給するための信号線１２６は、管状部材１１５ｃ１の内部に挿通されている。管状部材１１５ｃ１の管路内を消毒液などの流体が流れる。すなわち、チューブ部１１５ｃは、コネクタ部１１５ａとコネクタ部１１５ｂとを連結し、コネクタ部１１５ｂに供給された流体をコネクタ部１１５ａを介して口金１１０に流入させるための部材である。
【００７７】
コネクタ部１１５ｂをポート３３に装着すると、信号線１２６は、コネクタ部１１５ｂ内の電気的コネクタ１１５ｂ１と、ポート３３内の電気的コネクタ３３ａ（３４ａ）とが接続されているので、洗浄消毒装置１内の信号線７２と導通する。  
なお、内視鏡１００の内部において、口金１１０Aの周囲には、断熱部材１１１が設けられていてもよい。口金１１０Aの熱が内視鏡１００の他の部品に伝わり難くするためである。
（作用）
弾性部材１２４の近傍に設けられてヒータ１２５が、内視鏡１００の洗浄消毒工程において、口金１１０Ａが所定の温度になるように加熱されることにより、口金１１０Ａと洗浄用接続チューブ１１５のコネクタ部１１５ａとの接触部分が、熱により消毒される。内視鏡１００の各管路内は消毒液により化学的に消毒され、消毒液が触れない、口金１１０Ａと洗浄用接続チューブ１１５のコネクタ部１１５ａとの接触部分は、熱的に消毒される。
【００７８】
内視鏡の熱消毒基準は、予め決められている。例えば、リプロセスにおける消毒は、内視鏡を、８０℃で１分以上の環境に置くようにしなければならないという熱消毒基準がある。この基準は、HLD（High Level Disinfection）に基づく基準である。従って、内視鏡１００の各管路内を、消毒液等の液体を用いて化学消毒すると共に、口金１１０Ａと洗浄用接続チューブ１１５のコネクタ部１１５ａとの接触部分は、所定の基準に合致した熱消毒がされるように、８０℃で１分以上保持されるように、制御部７０は、ヒータ１２５へ供給する電流、電圧などを制御する。
【００７９】
ヒータ１２５による加熱は、例えば、洗浄消毒槽４内の液体を排出した後に、行ってもよいし、洗浄消毒槽４内に消毒液を満たした状態で、行ってもよい。  
洗浄消毒槽４内に消毒液を満たした状態で加熱処理を行う方法の場合、消毒液の排出をしなくてもよいので、内視鏡の洗浄消毒にかかる全体の時間が短縮されるメリットがある。
【００８０】
なお、洗浄消毒槽４内に消毒液を満たした状態で加熱処理を行う方法の場合、消毒液に含まれる酵素が失活しないような工夫が成される。例えば、酵素の失活温度が加熱温度（８０℃）以上の酵素を用いる。あるいは内視鏡１００の口金１１０Aは、洗浄用接続チューブ１１５との接触部分では、熱を伝えるが、口金１１０Aのその他の部分は、洗浄消毒槽４内の消毒液に、熱を伝えないように、断熱部材でカバーされていてもよい。
【００８１】
さらにあるいは、温度検知センサ５３ａにより、洗浄消毒槽４内に消毒液の温度を検出し、消毒液の温度が所定の閾値温度を超えると、冷却機能により消毒液を冷却するようにしてもよい。このような冷却機能は、例えば、洗浄消毒槽４の周囲を水道管と接続された管路を密着させて配置し、いわゆるエバポレータの原理を用いて、水道水が得た熱を放熱させるような機構により、実現することができる。
ただし、消毒液には最も薬効を示す温度があり、薬液の種類によっては高温が好ましい場合もある。断熱部材を設けずに洗浄用接続チューブ１１５の熱で洗浄槽を満たす薬液を加温するようにしてもよい。
【００８２】
図６は、制御部７０におけるヒータ１２５の温度制御の例を説明するための図である。例えば、ヒータ１２５に所定の電圧あるいは電流を供給したいときにおける、ヒータ１２５の温度と弾性部材１２４の温度の変化を示す図である。そのヒータ１２５と弾性部材１２４の間には、管路部材１２１が存在するので、弾性部材１２４の温度は、ヒータ１２５の温度変化に対して、遅れて変化する。
【００８３】
図６に示すように、例えば、室温２５℃の環境下で、時刻ｔ０から制御部７０が所定の電流を信号線７２を介してヒータ１２５に供給を開始し、時刻ｔ１において、ヒータ１２５が１００℃になり、制御部７０は、時刻ｔ１後は、ヒータ１２５の温度が１００℃を維持するように、ヒータ１２５へ供給する電流を制御する。
【００８４】
ヒータ１２５の加熱に応じて、ヒータ１２５からの熱が管路部材１２１を伝わって弾性部材１２４の温度を上昇させる。図６では、時刻ｔ０後、時間的な遅れを持って、弾性部材１２４の温度は、上昇し、時刻ｔ１よりも後の時刻ｔ２において、８０℃に達する。弾性部材１２４の温度がどのくらいの時間で８０℃に達するかは、実験などで予め測定しておくことによって、時刻ｔ２を決定することができる。ヒータ１２５は、時刻ｔ１後は、一定温度（１００℃）に維持されるので、弾性部材１２４の温度は、時刻ｔ２後は、８０℃となる。
【００８５】
ヒータ１２５から弾性部材１２４への熱の伝達関数は、ヒータ１２５、管路部材１２１及び弾性部材１２４の構造、配置などによって異なるため、ヒータ１２５の温度をどのように制御すると、弾性部材１２４の温度（正確には、弾性部材１２４と口金１１０Ａの密着部分の温度）が、どのように変化するかを実験などで確認し、弾性部材１２４の温度が、正しく所定の熱消毒の基準温度になるように、制御部７０は、ヒータ１２５へ供給する電流等の制御を行う。
【００８６】
なお、図５では、ヒータ１２５からの熱が金属の管路部材１２１を介して弾性部材１２４に供給されるように、ヒータ１２５は、弾性部材１２４の近傍に設けられているが、ヒータ１２５と弾性部材１２４が密着していてもよい。
【００８７】
さらに、制御部７０は、弾性部材１２４が８０℃になった後、熱消毒基準の所定の時間、例えば１０分間、その温度が維持されるように、ヒータ１２５への供給電流を制御する。図６では、時刻ｔ２からｔ３までが１０分間に相当する。
【００８８】
よって、図６に示すように、制御部７０がヒータ１２５へ供給する電流（あるいは電圧）を制御することによって、弾性部材１２５の温度（正確には、弾性部材１２４と口金１１０Ａの密着部分の温度）を、所定の熱消毒基準に合致した温度にして、その密着部分を熱消毒することができる。
【００８９】
簡単な制御の場合、制御部７０は、所定の時間をカウントするタイマに基づいて、所定時間だけ、所定の電流あるいは電圧を、ヒータ１２５に供給するように制御すれば、密着部分は、所定の熱消毒基準に合致した熱的な消毒が行われる。その密着部分は、従来は消毒液等により化学的消毒ができない部分であるが、本実施の形態によれば、上述したように、熱的な消毒が行われる。
【００９０】
なお、上述した例では、弾性部材１２４は、Ｏリング状であり、図５に示すように、周方向に直交する断面形状は、円形状であるが、図７に示すように、Ｏリング状の弾性部材１２４の周方向に対して直交する断面形状は、略長方形でもよい。図７は、弾性部材１２４Ａの変形例の断面図である。
【００９１】
弾性部材１２４Ａと口金１１０Ａとの密着性を確実にするために、弾性部材１２４Ａの内視鏡１００の口金１１０Ａとの接触面１２４Ａａに、突起部１２４Ａｂが形成されている。突起部１２４Ａｂは、円形の接触面１２４Ａａの形状に沿って、円環状に設けられている。
【００９２】
さらになお、上述した例では、弾性部材１２４とヒータ１２５は別体であるが、一体でもよい。図７において、点線で示したように、ヒータ１２５Ａは、弾性部材１２４Ｂ中に、リング状に設けられていてもよい。例えば、ヒータ１２５Ａ付きの弾性部材１２４Ｂは、ヒータがシリコン部材の中に配置されたシリコンラバーヒータである。
【００９３】
また、上述した例では、洗浄用接続チューブ１１５は、洗浄消毒装置１のコネクタであるポート３３あるいは３４と着脱可能に接続するためのコネクタ１１５ｂを有して、洗浄消毒装置１に着脱自在となっているが、洗浄用接続チューブ１１５は、基端部のコネクタ１１５ｂを有さず、洗浄用接続チューブ１１５の基端部は、洗浄消毒装置１に着脱できないように固定されていてもよい。
さらにまた、上述した例では、洗浄用接続チューブ１１５のヒータ１２５は、洗浄消毒装置１から信号線１２６を介して電源の供給を受けているが、洗浄用接続チューブは、洗浄消毒装置から非接触で電源の供給を受けるようにしてもよい。
【００９４】
図８は、本実施の形態の変形例に係る、洗浄用接続チューブが洗浄消毒装置から非接触で電源の供給を受ける構成を説明するための図である。管路部材１２１A内には、スイッチ１２７、コイル１２８及び蓄電池１２９の直列回路が、ヒータ１２５に接続されている。スイッチ１２７は、磁気によりオン・オフが制御できるリードスイッチであり、内視鏡１００を洗浄消毒槽４にセットしたときに、スイッチ１２７の近傍にくるように洗浄消毒装置１内に配置されたコイル１２７Aにより、オン・オフが可能となっている。
【００９５】
コイル１２８は、外部からの交流磁界を受けて、コイル１２８の両端に発生した電圧により、蓄電池１２９を充電する。コイル１２８に対して磁界を供給するための、送信コイル１２８Ａは、内視鏡１００を洗浄消毒槽４にセットしたときに、コイル１２８の近傍にくるように洗浄消毒装置１内に配置されている。送信コイル１２８Aは、非接触で、ヒータ１２５を駆動するための電力を供給する電力供給部を構成する。
【００９６】
蓄電池１２９は、スイッチ１２７がオンとなり、コイル１２８が送信コイル１２８Ａからの外部磁界を受けているとき、ヒータ１２５へ電力を供給する。その結果、ヒータ１２５が発熱して、弾性部材１２４と口金１１０Ａとの接触部分を所定の温度に加熱して、熱により消毒を行うことができる。
【００９７】
スイッチ１２７をオン・オフするためのコイル１２７Ａ、及びコイル１２８に磁界を与えるための送信コイル１２８Ａの制御は、制御部７０により行われ、制御部７０が図６に示すように温度を制御することによって、弾性部材１２４と口金１１０Ａとの接触部分を所定の温度にすることができる。
【００９８】
なお、上述したヒータ１２５は、電気により熱を発生する電熱線であるが、所定の電圧の供給を受けて、発熱する超音波振動子でもよい。  
さらになお、上述した例では、弾性部材１２４は、消毒用接続チューブ１１５のコネクタ部１１５ａに設けられているが、口金１１０Ａ側に設けるようにしてもよい。
【００９９】
また、上述した各例のヒータは、電気により駆動されて発熱するものであるが、電気的な発熱をしないもの、化学反応による発熱するもの、あるいはマイクロ波により発熱するものでもよい。
【０１００】
図９は、本実施の形態の変形例に係る、化学反応により発熱するヒータ１２５Ｂを、コネクタ部１１５ａの弾性部材１２４を覆うように配置した構成を示す図である。ヒータ１２５Ｂは、管路部材１２１Ｂの先端部の円形の溝部内に設けられている。
【０１０１】
ヒータ１２５Ａは、洗浄あるいは消毒に用いられる流体あるいは、そのような流体とは別の流体と接することにより、発熱する発熱部材を含む。ヒータ１２５Ａは、例えば、
カリウム、ナトリウムなど危険物3類に属する材料であり、水あるいは酸素に触れると発熱する材料を耐熱樹脂などに規定量まぜ、発火せずに規定の温度を保持できるように調整する。ヒータ１２５Ａは、例えば、水が触れると８０℃以上になる材料が選択されると、水との接触が開始した後、口金１１０Ａと弾性部材１２４の接触部分の温度が８０℃に達して１０分間経過するまでの時間を、タイマを用いて管理することにより、所定の消毒処理を行うことができる。水の供給の制御は、制御部７０により行われる。
【０１０２】
なお、ヒータ１２５Ｂは、マイクロ波を受けると発熱する金属、金属分散セラミックスなどの材料、例えば、アルミナ焼成体（アルミナ‐シリカ複合体）であってもよい。その場合、ヒータ１２５Ｂは、マイクロ波の照射により、８０℃以上になる材料が選択される。マイクロ波の照射源は、内視鏡１００が洗浄消毒槽４にセットされたときに、洗浄用接続チューブのコネクタ部１１５ａの位置の近傍に配置される。なお、マイクロ波による加熱のために、ヒータ１２５Ｂの近傍に水を存在させるようにしてもよい。
【０１０３】
そして、マイクロ波の照射が開始した後、口金１１０Ａと弾性部材１２４の接触部分の温度が８０℃に達して１０分間経過するまでの時間を、タイマを用いて管理することにより、熱消毒処理を行うことができる。
【０１０４】
また、内視鏡１００及び洗浄用接続チューブ１１５の、ヒータ１２５Ｂ以外の部材は、マイクロ波の影響を受けない、セラミック等の材料が用いられる。しかし、マイクロ波の照射角、照射方向などを工夫することによって、ヒータ１２５Ｂ以外の部材に、金属などの材料を用いることもできる。
【０１０５】
以上のように、上述した本実施の形態及び各変形例によれば、内視鏡内の管路の口金と洗浄用接続チューブのコネクタ部との接触部分における消毒を確実に行うことができる内視鏡洗浄消毒装置及び洗浄用消毒チューブを実現することができる。
【０１０６】
さらに、上述した実施の形態及び各変形例の内視鏡洗浄消毒装置及び洗浄用消毒チューブによれば、内視鏡洗浄消毒装置において、内視鏡内の管路の詰まりを、流量測定により検出するときの検出精度を低下させることもない。
（第２の実施の形態）
第１の実施の形態では、内視鏡１００に接続される洗浄用接続チューブのコネクタ部１１５ａに発熱部が設けられているが、第２の実施の形態では、発熱部が内視鏡１００に設けられ、内視鏡１００の口金と洗浄用接続チューブ１１５との接触部分を加熱する。なお、第２の実施の形態において、第１の実施の形態と同じ構成要素については、同じ符号を用いて説明し、説明は省略する。
【０１０７】
また、以下では、洗浄用接続チューブ１１５Ａが、吸引管路用の口金１１０Aに接続される場合を例に説明する。他の管路（送気送水管路、副送水管路、鉗子孔）の洗浄用接続チューブも同様であるので、説明は省略する。
【０１０８】
図１０は、第２の実施の形態に係わる内視鏡と洗浄消毒装置との接続を説明するための図である。洗浄用接続チューブ１１５Ａは、先端側のコネクタ部１１５ａ内の管路部材１２１Ｃにヒータは設けられておらず、ヒータ１３１は口金１１０Ａａ内に設けられている。
【０１０９】
ヒータ１３１は、口金１１０Ａａのフランジ部の内周溝内に組み込まれ、接着剤などにより、固定されているニクロム線などの電熱線である。ヒータ１３１は、口金１１０Ａａのフランジ部に沿って円環状に設けられており、洗浄用接続チューブ１１５Ａの弾性部材１２４と口金１１０Ａａとの接触面を加熱できるようになっている。すなわち、ヒータ１３１は、口金１１０Ａａに設けられ、洗浄消毒装置１から消毒用の流体を供給するコネクタ部１１５Ａとの接触部分を加熱するための加熱部を構成する。
【０１１０】
ヒータ１３１へ電力を供給するための信号線１３２は、図１０に示すように、内視鏡１００Ａ内のスイッチ１３３，コイル１３４及び蓄電池１３５の直列回路に接続されている。スイッチ１３３は、リードスイッチであり、磁力によりオン、オフすることができるスイッチである。
【０１１１】
内視鏡１００Ａを洗浄消毒する処理中の所定のステップにおいて、洗浄消毒装置１に設けられたコイル１４１に電流を流すことによって、スイッチ１３３をオンにすることができる。そして、内視鏡内の管路の口金と洗浄用接続チューブのコネクタ部との接触部分の熱消毒が終了すると、スイッチ１３３はオフにされる。コイル１４１への電流供給の制御は、制御部７０により、行われる。コイル１４１は、内視鏡１００Ａを洗浄消毒槽４にセットしたときに、スイッチ１３３の近傍にくるように洗浄消毒装置１内に配置されている。
【０１１２】
コイル１３４は、充電器１３５を充電するとき、あるいはヒータ１３１を加熱するときに、外部からの磁界を受けて、充電器１３４に電流を供給するための回路である。コイル１３４への磁界は、洗浄消毒装置１に設けられた送信コイル１４２により発生される。送信コイル１４２は、内視鏡１００Ａを洗浄消毒槽４にセットしたときに、コイル１３４の近傍にくるように洗浄消毒装置１内に配置されている。
【０１１３】
なお、図１０において、一点鎖線で示すように、充電器１３５の充電は、内視鏡１００Ａが検査などに使用されているときに、例えば光源装置２０１からの電力供給を受けて行われるようにしてもよい。
【０１１４】
口金１１０Ａに設けられたヒータ１３１の温度制御も、上述したように、図６で示したようなヒータ１３１と弾性部材１２４との接触面の温度が、所定の温度になるまでの時間により、行うことができる。
【０１１５】
よって、本実施の形態によっても、内視鏡内の管路の口金と洗浄チューブのコネクタ部との接触部分における消毒を確実に行うことができる内視鏡洗浄消毒装置及び内視鏡を実現することができる。
【０１１６】
さらに、上述した実施の形態及び各変形例の内視鏡洗浄消毒装置によれば、内視鏡洗浄消毒装置において、内視鏡内の管路の詰まりを、流量測定により検出するときの検出精度を低下させることもない。
【０１１７】
なお、上述した例では、コイル１４１，送信コイル１４２は、洗浄消毒装置１に設けられているが、洗浄用接続チューブ１１５Aのコネクタ部１１５ａに設けてもよい。  
さらになお、ヒータ１３１として、上述したシリコンラバーヒータを用いてもよい。
【０１１８】
また、上述したヒータ１３１は、電気により熱を発生する電熱線であるが、所定の電圧の供給を受けて、発熱する超音波振動子でもよい。  
さらにまた、上述した例では、弾性部材１２４は、消毒用接続チューブ１１５Ａのコネクタ部１１５ａに設けられているが、口金１１０Ａａ側に設けるようにしてもよい。
【０１１９】
また、上述した各例のヒータは、電気により駆動されて発熱するものであるが、電気的な発熱をしないもの、化学反応による発熱するもの、あるいはマイクロ波により発熱するものでもよい。
【０１２０】
図１１は、本実施の形態の変形例に係る、化学反応により発熱するヒータ１３１Aを、口金１１０Ａｂの一部として、弾性部材１２４との接触面に配置した構成を示す図である。ヒータ１３１Ａは、口金１１０Ａａの先端部に設けられるリング状部材であり、例えば、第１の実施の形態の図９のヒータ１２５Ｂと同様の材料が選択される。そして、水との接触が開始した後、口金１１０Ａｂの、弾性部材１２４との接触部分の温度が８０℃に達して１０分間経過するまでの時間を、タイマを用いて管理することにより、所定の消毒処理を行うことができる。水等の供給の制御は、制御部７０により行われる。
【０１２１】
なお、ヒータ１３１Ａは、第１の実施の形態の変形例で説明したヒータ１２５Ｂと同様に、マイクロ波を受けると発熱する材料であってもよい。その場合、マイクロ波の照射により、ヒータ１３１Ａが８０℃以上になる材料、例えば、第１の実施の形態の図９のヒータ１２５Ｂと同様の材料が選択される。マイクロ波の照射源は、内視鏡１００Ａが洗浄消毒槽４にセットされたときに、口金１１０Ａｂの位置の近傍に配置される。
【０１２２】
そして、マイクロ波の照射が開始した後、口金１１０Ａｂと弾性部材１２４の接触部分の温度が８０℃に達して１０分間経過するまでの時間を、タイマを用いて管理することにより、所定の消毒処理を行うことができる。
【０１２３】
また、内視鏡１００及び洗浄用接続チューブ１１５Ａの、ヒータ１３１Ａ以外の部材は、マイクロ波の影響を受けない、セラミック等の材料が用いられる。しかし、マイクロ波の照射角、照射方向などを工夫することによって、ヒータ１３１Ａ以外の部材に、金属などの材料を用いることもできる。
【０１２４】
以上のように、上述した本実施の形態及び各変形例によれば、内視鏡内の管路の口金と洗浄用接続チューブのコネクタ部との接触部分における消毒を確実に行うことができる内視鏡洗浄消毒装置、洗浄用消毒チューブあるいは内視鏡を実現することができる。
【０１２５】
さらに、上述した実施の形態及び各変形例の内視鏡洗浄消毒装置、洗浄用消毒チューブ及び内視鏡によれば、内視鏡洗浄消毒装置において、内視鏡内の管路の詰まりを、流量測定により検出するときの検出精度を低下させることもない。
【０１２６】
上述した各実施の形態及びそれらの各変形例にかかる洗浄用接続チューブ１１５、１１５Ａにおける口金との接触部分の近傍は、高温になるので、その高温対策について、次に説明する。
【０１２７】
図１２は、上述した第１の実施の形態の変形例に係る、冷却機構を有する洗浄用接続チューブのコネクタ部の構造を説明するための図である。図１３は、図１２のＸＩＩＩ−ＸＩＩＩ線に沿った、コネクタ部１１５ａの断面図である。
【０１２８】
図１２に示すように、管路部材１２１Ｄは、軸回りに形成された管路１５１を内部に有し、かつ管路部材１２１Ｄの軸方向に形成された管路の内側に突出した円環状の突起部１５２を有する。管路１５１は、管路部材１２１の軸回りに略一周に亘って形成されている。管路部材１２１Ｄの内側には、管路１５１に連通する２つの連通路１５３，１５４の２つの開口１５３ａ、１５４ａが形成されている。すなわち、開口１５３ａから１５４ａまでが、１つの流路を形成する。開口１５３ａは、突起部１５２よりも、コネクタ部１１５ａの先端側に形成され、開口１５４ａは、突起部１５２よりも、コネクタ部１１５ａの基端側に形成されている。
【０１２９】
ヒータ１２５による加熱後、ポート３３あるいは３４から洗浄用消毒チューブ１１５に液体、例えば水、を流すと、管路部材１２１内を通る水により、突起部１５２の前後で差圧が生じるので、水は、開口１５４ａから連通路１５４を通って管路１５１を流れて、連通路１５３を通って開口１５３ａから出る。その結果、ヒータ１２５によって熱くなった管路部材１２１は、管路部材１２１の内側を流れる水だけでなく、管路部材１２１の内部に形成された管路１５１を流れる水によっても冷却される。よって、熱くなった洗浄用接続チューブ１１５のコネクタ部を、迅速に冷却することができる。  
なお、図１３において、一点鎖線で示すように、コネクタ部１１５ａの周囲を覆う、断熱性を有するカバー１５５を設けてもよい。
【０１３０】
また、ユーザに洗浄用消毒チューブの先端部の温度を表示、あるいはその先端部の温度が高いことを示す表示を行うようにしてもよい。  
図１４は、上述した第１の実施の形態の変形例に係る、温度表示部を有する洗浄用接続チューブ１１５の例を示す部分斜視図である。温度表示部１６１は、コネクタ部１１５ａの管路部材１２１の外周面に、例えば、温度に応じて色が変化する塗料が塗布されることによって、構成されたものである。各反応温度に対応する温度表示が、その塗料の上に印刷される。温度表示の数字に対応する種類の塗料が塗布されている。図１４では、斜線により、７０℃の温度表示の部分の色が変化しているので、ユーザは、７０℃であることが判る。反応温度部分の色が変化するので、ユーザは、コネクタ部１１５ａの温度を認識することができる。
【０１３１】
図１５は、上述した第１の実施の形態の変形例に係る、温度表示部を有する洗浄用接続チューブ１１５の他の例を示す部分斜視図である。温度表示部１６２は、コネクタ部１１５ａの管路部材１２１の外周面に、例えば、所定の温度以上になると色が変化する塗料が塗布されることによって、構成されたものである。所定の温度以上、例えば４０℃以上では、温度表示部１６２は、所定の色に変化、例えば赤色に変化する。温度表示部１６２の色が変化するので、ユーザは、コネクタ部１１５ａの温度が高いことを認識することができる。
【０１３２】
なお、温度表示部１６２に文字が現れるようにしてもよい。図１６は、図１５の温度表示部１６２の変形例を示す図である。図１６の温度表示部１６２ａは、所定の温度以上、例えば４０℃以上であると、所定の文字「DANGER 」、「Attention」、「CAUTION」などが現れるようになっている。
【０１３３】
また、温度表示部をLEDなどの発光素子を用いても良い。図１７は、上述した第１の実施の形態の変形例に係る、温度表示部として、LED表示部を有する洗浄用接続チューブ１１５のさらに他の例を示す部分斜視図である。LED表示部１６２ｂは、コネクタ部１１５ａの管路部材１２１の外周面に、所定の温度以上になると発光するように制御される。例えば、洗浄消毒槽４にサーモグラフィ装置を設け、コネクタ部１１５ａを撮像して、表面温度を画像データから計測し、計測された温度が制御部７０に供給される。制御部７０は、その計測された温度が、所定の温度以上、例えば４０℃以上であるときは、LED表示部１６２ｂを駆動して点灯する。従って、LED表示部１６２ｂが点灯しているときは、ユーザは、コネクタ部１１５ａの温度が高いことを認識することができる。  
なお、LED表示部１６２ｂの代わりに、装置本体２のメイン操作パネル２５の表示部に、コネクタ部１１５ａが高温であることの文字、絵などの表示、あるいはコネクタ部１１５ａの温度の表示を、行うようにしてもよい。  
さらになお、コネクタ部１１５ａ内に温度センサを設け、その温度センサの出力を、制御部７０に供給するようにして、LED表示部１６２ｂの点灯あるいはメイン操作パネル２５の表示部への温度表示などを行うようにしてもよい。
【０１３４】
また、サーモグラフィ装置あるいはコネクタ部１１５ａ内の温度センサにより検出された温度が、所定の温度以下になったときに、ユーザがトップカバー４を開けることができるように、ロック機構を、洗浄消毒装置１に設けてもよい。
【０１３５】
さらにまた、コネクタ部１１５ａ内に、冷却装置、例えば、ペルチェ素子などから構成される冷却部材、を設け、検出された温度に応じて、冷却装置により、コネクタ部１１５ａを冷却するようにしてもよい。
【０１３６】
以上のように、洗浄用接続チューブ１１５のコネクタ部が高温になることに対する対策を採ることによって、ユーザは、内視鏡の洗浄消毒を確実に行うことができる。
【０１３７】
なお、上述した各実施の形態及びそれらの各変形例では、ヒータは、HLDに準拠した消毒を行うためのヒータとして説明したが、内視鏡を滅菌する必要が有る場合は、ヒータは、所定の基準に応じて滅菌が行われるように、温度制御される。内視鏡は、内視鏡の種類（胃腸用、器官用、脳外科用など）に応じて、あるいは、使用された手技に応じて、洗浄消毒時に、消毒でよいのか、滅菌でなければならないのかが、予め決められている。例えば、滅菌の場合、接触部分の温度が、１５分間１２１℃となるように維持される。
【０１３８】
ヒータによる１５分間１２１℃の加熱は、洗浄消毒の前に行っても良いし、洗浄消毒の後に行ってもよい。例えば、内視鏡の管路内を化学的な消毒をした後、洗浄消毒槽４の液体を排出し、かつ洗浄用接続チューブに洗浄液などが残存していない状態になった後に、ヒータによる加熱処理が行われる。あるいは、消毒の前に、ヒータによる加熱処理を行い、その後に、薬液による洗浄を行うようにしてもよい。しかし、加熱により汚れ物質が熱変形して口金などに固着することも考えられるので、加熱処理は、洗浄消毒後が好ましい。
【０１３９】
その場合、内視鏡の情報を読み取る内視鏡情報読み取り部を、洗浄消毒装置あるいは洗浄用接続チューブに設け、洗浄消毒装置が、その内視鏡情報読み取り部により読み出された情報に基づいて、消毒と滅菌の切替を自動的に行うようにしてもよい。
【０１４０】
以上説明した洗浄消毒装置は、洗浄液、消毒液などの液体を用いる液薬消毒タイプであるが、EOG（エチレンオキサイドガス）等の消毒用ガスを用いるガス消毒タイプであってもよい。
【０１４１】
本発明は、上述した実施の形態に限定されるものではなく、本発明の要旨を変えない範囲において、種々の変更、改変等が可能である。
【符号の説明】
【０１４２】
１  内視鏡洗浄消毒装置、
２  装置本体、
３  トップカバー、
４  洗浄消毒槽、
５  水道蛇口、
６  洗浄ケース、
９  給水管路、
１０  三方電磁弁、
１１  アルコールトレー、
１１ａ  洗剤タンク、
１１ｂ  アルコールタンク、
１２  カセットトレー、
１２ａ  薬液ボトル、
１３  サブ操作パネル、
１４  ペダルスイッチ、
１７  給水フィルタ、
１８  流液管路、
１９  流液ポンプ、
２０  循環管路、
２１  チャンネル管路、
２２  洗剤ノズル、
２４  給水循環ノズル、
２５  メイン操作パネル、
２６  チャンネルポンプ、
２７  チャンネルブロック、
２８A〜２８D  チャンネル電磁弁、
３０  ケース用管路、
３１  給水ホース接続口、
３１ａ  給水ホース、
３２  水位センサ、
３３  ポート、
３３ａ  吸引管路用ポート
３３ｂ  副送水管路用ポート、
３４  ポート、
３４ａ  送気送水管路用ポート
３４ｂ  鉗子孔用ポート
３６  リリーフ弁、
４０  洗剤用ポンプ、
４１  アルコール管路、
４２  アルコール供給ポンプ、
４４  エア管路、
４５  エアポンプ、
５０  槽本体、
５０ｔ  底面、
５０ｓ  側面、
５１  テラス部、
５１ｔ  テラス面、
５２  超音波振動子、
５３  ヒータ、
５３ａ  温度検知センサ、
５５  排水口、５６  循環口、
５８  薬液タンク、
６０  排水ポンプ、
６３  吸引フィルタ、
６５  薬液ポンプ、
７０  制御部、
７１  電源、
７２  信号線、
１００、１００Ａ  内視鏡、
１０１  操作部、
１０２  ユニバーサルケーブル、
１０３  コネクタ、
１１０A〜１１０D  口金、
１１１  断熱部材、
１１５  内視鏡洗浄消毒装置用接続チューブ、
１１５ａ、１１５ｂ  コネクタ部、
１１５ｃ  チューブ部、
１１５ｃ１  管状部材
１２１、１２１Ａ、１２１Ｂ、１２１Ｃ、１２１Ｄ  管路部材、
１２２  クリップ部材、
１２２ａ  トーションバネ、
１２２ｂ  爪部材、
１２２ｃ  軸部材、
１２３  溝
１２４、１２４Ａ，１２４Ｂ  弾性部材、
１２５  ヒータ、
１２５Ｂ  ヒータ、
１２６  信号線、
１２７  スイッチ、
１２７Ａ  コイル、
１２８  コイル、
１２８Ａ  送信コイル
１２９  蓄電池、
１３１  ヒータ、
１３１Ａ  加熱部材、
１３２  信号線、
１３３  スイッチ、
１３４  コイル、
１３５  蓄電池、
１４１  コイル、
１４２  送信コイル、
１５０  流量センサ、
１５１  管路、
１５２  突起部、
１５３  連通路、
１５３ａ  開口、
１５４  連通路、
１５４ａ  開口、１５５  カバー、
１６１  温度表示部、
１６２  温度表示部、
１６２ａ  温度表示部、
１６２ｂ  ＬＥＤ表示部
【図１】
2013027626.tif 000003
【図２】
2013027626.tif 000004
【図３】
2013027626.tif 000005
【図４】
2013027626.tif 000006
【図５】
2013027626.tif 000007
【図６】
2013027626.tif 000008
【図７】
2013027626.tif 000009
【図８】
2013027626.tif 000010
【図９】
2013027626.tif 000011
【図１０】
2013027626.tif 000012
【図１１】
2013027626.tif 000013
【図１２】
2013027626.tif 000014
【図１３】
2013027626.tif 000015
【図１４】
2013027626.tif 000016
【図１５】
2013027626.tif 000017
【図１６】
2013027626.tif 000018
【図１７】
2013027626.tif 000019